(57)【要約】【課題】視覚に頼ることなく、直感的に楽曲の所望のポイントを認識することができる電子機器、電子システム、音響機器、電子機器の制御方法およびプログラムを提供する。【解決手段】音声データの時間軸上の振幅値を解析する音声データ解析手段７１と、音声データ解析手段７１による解析結果を保存する記憶部１２と、音声データの再生方向および再生速度を操作するためのジョグダイヤル５４と、記憶部１２に保存された解析結果における、ジョグダイヤル５４により操作された結果の音声データの時間情報に対応する振幅値に基づき振動する振動部５５と、を備えた。【選択図】図３
2014203493.tif 000002
【特許請求の範囲】
【請求項１】
音声データの時間軸上の振幅値を解析する解析部と、
前記解析部による解析結果を保存する記憶部と、
前記音声データの再生方向および再生速度を操作するための操作子と、
前記記憶部に保存された解析結果における、前記操作子により操作された結果の前記音声データの時間情報に対応する前記振幅値に基づき振動する振動部と、を備えたことを特徴とする電子機器。
【請求項２】
前記解析部を外部に備え、前記外部の解析部による解析結果を入力する入力手段を備えることを特徴とする請求項１に記載の電子機器。
【請求項３】
さらに特定の周波数帯域通過フィルタを備え、前記音声データにつき前記フィルタの通過した音声データの前記振幅値に基づき振動する振動部、を備えたことを特徴とする請求項１または２に記載の電子機器。
【請求項４】
前記振動部は、
前記音声データの時間情報に対応する前記振幅値に基づき振動し続けることを特徴とする請求項１または２に記載の電子機器。
【請求項５】
前記振動部は、
前記音声データの時間情報に対応する前記振幅値が、所定の閾値以上の場合に振動することを特徴とする請求項１または２に記載の電子機器。
【請求項６】
前記所定の閾値を設定する閾値設定部を備えたことを特徴とする請求項５に記載の電子機器。
【請求項７】
前記振動部は、
前記音声データの振幅値の時間軸上の差分に応じて振動することを特徴とする請求項１または２に記載の電子機器。
【請求項８】
前記振動部は、
前記音声データの時間軸上の振幅値が急峻に増加した場合に振動することを特徴とする請求項１または２に記載の電子機器。
【請求項９】
前記音声データの時間軸上における所定の区間を設定する区間設定部を備え、
前記振動部は、
前記区間設定部による設定区間のみ振動することを特徴とする請求項１または２に記載の電子機器。
【請求項１０】
音声データの時間軸上の振幅値を解析する解析部と、
前記解析部による解析結果を保存する記憶部と、
前記音声データの再生方向および再生速度を操作するための操作子と、
前記記憶部に保存されている解析結果における、前記操作子により操作された結果の前記音声データの時間情報に対応する前記振幅値に基づく振動命令を送信する振動命令送信部と、を有する電子機器と、
前記振動命令送信部から送信された前記振動命令を受信する振動命令受信部と、
前記振動命令受信部により受信した前記振動命令に基づき振動する振動部と、を有する振動装置と、により構成されることを特徴とする電子システム。
【請求項１１】
音声データの時間軸上の振幅値を解析する解析部と、
前記解析部による解析結果を保存する記憶部と、
前記音声データの再生方向および再生速度を操作するための操作子と、
前記記憶部に保存されている解析結果における、前記操作子により操作された結果の前記音声データの時間情報に対応する前記振幅値に基づき振動する振動部と、を備えたことを特徴とする音響機器。
【請求項１２】
音声データの再生方向および再生速度を操作するための操作子と、前記操作子の操作に伴って振動する振動部と、を有する電子機器の制御方法であって、
前記音声データの時間軸上の振幅値を解析する解析ステップと、
前記解析結果を保存する保存ステップと、
前記保存されている解析結果における、前記操作子により操作された結果の前記音声データの時間情報に対応する前記振幅値に基づき、前記振動部を振動させる振動ステップと、を実行することを特徴とする電子機器の制御方法。
【請求項１３】
コンピューターに、請求項１２に記載の電子機器の制御方法における各ステップを実行させるためのプログラム。
【発明の詳細な説明】
【技術分野】
【０００１】
本発明は、音声データを処理可能な電子機器、電子システム、音響機器、電子機器の制御方法およびプログラムに関するものである。
【背景技術】
【０００２】
従来、ディスクジョッキー（以下、「ＤＪ」と称す）が音響パフォーマンスに用いる機器、いわゆるＤＪ機器が知られている。この種のＤＪ機器には、一般的に、アナログターンテーブル感覚の操作が実現可能なジョグダイヤルが備えられており、ＤＪはジョグダイヤルを回転操作することで「頭出し再生」と称されるスクラッチ操作を行う。このスクラッチ操作では、頭出しの開始ポイント（音の出音ポイント）を迅速に且つ正確に認識することが重要となる。この点において、特許文献１には、ＤＪ機器（情報再生装置）のジョグダイヤルの中央部分に、楽曲の音声波形（解析波形）と現在の再生位置とを表示する表示画面を設けた構成が開示されており、ＤＪはこの表示画面を見ながら頭出し開始ポイントを認識（確認）することができる。
【先行技術文献】
【特許文献】
【０００３】
【特許文献１】特開２００８−２４３２５９号公報
【発明の概要】
【発明が解決しようとする課題】
【０００４】
しかしながら、上述のように、ＤＪが表示画面上で楽曲の音声波形を目視確認して頭出し開始ポイントを認識する場合、ＤＪは表示画面を見ながらジョグダイヤルを操作しなければならず、正確な頭出し開始ポイントに現在の再生位置を移動させる操作（ジョグダイヤルの操作）が難しいという問題がある。また、ＤＪ機器を使用するクラブなどでは、ホール内（フロア）の照明を暗くする場合が多く、このような暗がり（すなわち視覚的に問題がある環境下）では使用できないという問題がある。
【０００５】
本発明は上記の問題に鑑み、視覚に頼ることなく、直感的に楽曲の所望のポイントを認識することができる電子機器、電子システム、音響機器、電子機器の制御方法およびプログラムを提供することを目的とする。
【課題を解決するための手段】
【０００６】
本発明の電子機器は、音声データの時間軸上の振幅値を解析する解析部と、解析部による解析結果を保存する記憶部と、音声データの再生方向および再生速度を操作するための操作子と、記憶部に保存された解析結果における、操作子により操作された結果の音声データの時間情報に対応する振幅値に基づき振動する振動部と、を備えたことを特徴とする。
【０００７】
本発明の電子機器において、振動部は、音声データの時間情報に対応する振幅値に基づき振動し続けることを特徴とする。
【０００８】
本発明の電子機器において、振動部は、音声データの時間情報に対応する振幅値が、所定の閾値以上の場合に振動することを特徴とする。
【０００９】
本発明の電子機器において、所定の閾値を設定する閾値設定部を備えたことを特徴とする。
【００１０】
本発明の電子機器において、振動部は、音声データの振幅値の時間軸上の差分に応じて振動することを特徴とする。
【００１１】
本発明の電子機器において、振動部は、音声データの時間軸上の振幅値が急峻に増加した場合に振動することを特徴とする。
【００１２】
本発明の電子機器において、音声データの時間軸上における所定の区間を設定する区間設定部を備え、振動部は、区間設定部による設定区間のみ振動することを特徴とする。
【００１３】
本発明の電子システムは、音声データの時間軸上の振幅値を解析する解析部と、解析部による解析結果を保存する記憶部と、音声データの再生方向および再生速度を操作するための操作子と、記憶部に保存されている解析結果における、操作子により操作された結果の音声データの時間情報に対応する振幅値に基づく振動命令を送信する振動命令送信部と、を有する電子機器と、振動命令送信部から送信された振動命令を受信する振動命令受信部と、振動命令受信部により受信した振動命令に基づき振動する振動部と、を有する振動装置と、により構成されることを特徴とする。
【００１４】
本発明の音響機器は、音声データの時間軸上の振幅値を解析する解析部と、解析部による解析結果を保存する記憶部と、音声データの再生方向および再生速度を操作するための操作子と、記憶部に保存されている解析結果における操作子により操作された結果の音声データの時間情報に対応する振幅値に基づき振動する振動部と、を備えたことを特徴とする。
【００１５】
本発明の電子機器の制御方法は、音声データの再生方向および再生速度を操作するための操作子と、操作子の操作に伴って振動する振動部と、を有する電子機器の制御方法であって、音声データの時間軸上の振幅値を解析する解析ステップと、解析結果を保存する保存ステップと、保存されている解析結果における操作子により操作された結果の音声データの時間情報に対応する振幅値に基づき、振動部を振動させる振動ステップと、を実行することを特徴とする。
【００１６】
本発明のプログラムは、コンピューターに、上記に記載の電子機器の制御方法における各ステップを実行させるためのものであることを特徴とする。
【図面の簡単な説明】
【００１７】
【図１】本発明の一実施形態に係るＤＪシステムのシステム構成図である。
【図２】第１実施形態に係るＤＪプレーヤー・ミキサーのプレーヤー部およびミキサー部を示す平面図である。
【図３】第１実施形態に係るＤＪプレーヤー・ミキサーの機能ブロック図である。
【図４】第１実施形態に係るジョグダイヤルの振動制御の流れを示すフローチャートである。
【図５】第２実施形態に係るＤＪプレーヤー・ミキサーの機能ブロック図である。
【図６】第２実施形態に係るＤＪプレーヤー・ミキサーのプレーヤー部およびミキサー部を示す平面図である。
【図７】第２実施形態に係るジョグダイヤルの振動制御の流れを示すフローチャートである。
【図８】第３実施形態に係るＤＪプレーヤー・ミキサーの機能ブロック図である。
【図９】第３実施形態に係るＤＪプレーヤー・ミキサーのプレーヤー部およびミキサー部を示す平面図である。
【図１０】第３実施形態に係るジョグダイヤルの振動制御の流れを示すフローチャートである。
【図１１】本発明の変形例を示す図である。
【発明を実施するための形態】
【００１８】
以下、本発明の一実施形態に係る電子機器、電子システム、音響機器、電子機器の制御方法およびプログラムについて、添付図面を参照しながら詳細に説明する。本実施形態では、電子機器および音響機器として、ＤＪ機器の一種であるＤＪプレーヤーとＤＪミキサーの一体型機器であるＤＪプレーヤー・ミキサー（ＤＪ複合機）を例示する。
【００１９】
［第１実施形態］
図１は、本発明の一実施形態に係るＤＪシステムＳＹ１のシステム構成図である。ＤＪシステムＳＹ１は、ＤＪプレーヤー・ミキサー１０と、増幅器となるアンプ２０と、音声を出力するスピーカー３０と、音声データ（音声信号）を入力する外部入力装置４０と、によって構成される。なお、外部入力装置４０としては、ＣＤプレーヤー等の音声再生装置等を適用可能である。また、ＵＳＢメモリー等の記憶媒体を装着することにより音声データを入力可能としても良いし、タブレット端末等から無線通信を介して音声データを入力可能としても良い。
【００２０】
ＤＪプレーヤー・ミキサー１０は、主なハードウェア構成として、制御部１１、記憶部１２、操作部１３およびインターフェース部１４（以下、「Ｉ／Ｆ部１４」と表記する）を備えている。操作部１３は、音声データの再生機能を操作するプレーヤー部１３ａと、ミキサーとして音声データのミキシングを行うミキサー部１３ｂを含む。本実施形態では、２台のプレーヤー部１３ａ、１３ａを備え、それぞれ対応するチャンネルの音声データを操作可能である。
【００２１】
Ｉ／Ｆ部１４は、外部入力装置４０から音声データを入力すると共に、ＤＪプレーヤー・ミキサー１０による音声処理後の音声データをアンプ２０に出力する。さらに、必要に応じて、音声データのＡ／Ｄ変換およびＤ／Ａ変換等を行う。
【００２２】
制御部１１は、ＣＰＵ（Central  Processing  Unit）やＤＳＰ（Digital  Signal  Processor）等から成り、各種音声処理や音声データの入出力処理等、ＤＪプレーヤー・ミキサー１０を統括的に制御する。特に本実施形態では、プレーヤー部１３ａに設けられたジョグダイヤル５４（図２参照）を振動させる処理を制御する（詳細は後述する）。
【００２３】
記憶部１２は、ＤＪプレーヤー・ミキサー１０の動作に必要な制御プログラムや各種データを記憶する。また、各プレーヤー部１３ａで再生される音声データの特徴（本実施形態では音声データの振幅）を解析した結果（解析データ１２ａ）を記憶する。
【００２４】
次に、図２を参照し、ＤＪプレーヤー・ミキサー１０のプレーヤー部１３ａおよびミキサー部１３ｂに設けられた各種操作子について説明する。同図に示すように、プレーヤー部１３ａには、キューボタン５１、プレイ／ポーズボタン５２、テンポスライダー５３、ジョグダイヤル５４等の操作子が配置されている。なお、請求項における「操作子」は、ジョグダイヤル５４に相当する。
【００２５】
キューボタン５１は、キューポイントの設定等を行うために用いられる。プレイ／ポーズボタン５２は、楽曲（音声データ）の再生または一時停止を行うために用いられる。テンポスライダー５３は、再生速度（テンポ）を調整するために用いられる。
【００２６】
ジョグダイヤル５４は、正逆方向（時計回り方向／反時計回り方向）に回転自在な円盤形状の回転操作子である。ユーザーがジョグダイヤル５４を操作することで、音声データの再生位置、再生方向、再生速度等の再生状態を変更することができる。また、ジョグダイヤル５４には、その天面を振動させるための振動部５５（図３参照。例えばバイブレータ等）が設けられており、ユーザーがジョグダイヤル５４にタッチした時、あるいはジョグダイヤル５４を回転した時の再生位置の音声レベル（振幅値）に基づく振動強度で振動するようになっている。
【００２７】
一方、ミキサー部１３ｂは、各プレーヤー部１３ａ（各チャンネル）に対応した操作子として、イコライザーつまみ６１、チャンネルフェーダー６２等が配置されている。イコライザーつまみ６１は、各プレーヤー部１３ａに対して３つのつまみが設けられており、それぞれ高音、中音、低音のレベルを調整するために用いられる。チャンネルフェーダー６２は、各プレーヤー部１３ａ（各チャンネル）の出力レベルを調整するために用いられる。
【００２８】
なお、図２で示したプレーヤー部１３ａおよびミキサー部１３ｂの操作子はあくまでも一例であり、これ以外にも、多数の操作子やインジケーター等が設けられている。
【００２９】
次に、図３を参照し、ＤＪプレーヤー・ミキサー１０の機能構成について説明する。ＤＪプレーヤー・ミキサー１０は、主な機能構成として、音声データ解析手段７１（解析部）、ジョグ操作制御手段７２、および振動制御手段７３を備えている。
【００３０】
音声データ解析手段７１は、各プレーヤー部１３ａで再生する音声データの時間軸上の振幅値（音声レベル）を解析し、その解析結果（解析データ１２ａ）を記憶部１２に記憶する。つまり、解析データ１２ａは、音声データの時間情報とその時間位置における振幅値とが対応付けられたデータである。
【００３１】
ジョグ操作制御手段７２は、ジョグダイヤル５４に設けられたタッチセンサー（図示省略）により、ユーザーがジョグダイヤル５４にタッチしたか否か（タッチ／リリース）を検知し、ジョグダイヤル５４がタッチされた時の音声データの再生位置（再生位置における時間情報）を取得する。また、ジョグ操作制御手段７２は、ジョグダイヤル５４に設けられた角速度検出センサー（図示省略）により、ジョグダイヤル５４の回転方向や回転速度（もしくは角速度）を検出し、ジョグダイヤル５４が回転された時の音声データの再生位置（再生位置における時間情報）を取得する。
【００３２】
振動制御手段７３は、ジョグ操作制御手段７２により取得した音声データの再生位置（再生位置の時間情報）に対応する振幅値を解析データ１２ａから取得し、取得した振幅値の大きさに基づいて振動部５５（つまり、ジョグダイヤル５４）を振動させる（振動部５５に対して、振幅値に応じた振動命令を発行して振動部５５を振動させる）。具体的には、取得した振幅値が大きければ振動部５５を強く振動させ、小さければ振動部５５を弱く振動させるという具合に、振幅値に比例した振動強度で振動部５５を振動させる。なお、この振動制御は、ユーザーがジョグダイヤル５４に接触している間（ジョグダイヤル５４から手を離すまでの間）、継続して行われる。すなわち、ユーザーがジョグダイヤル５４にタッチ、あるいはジョグダイヤル５４を回転している間、刻々と変化する音楽データの再生位置に対応する振幅値に基づいて振動部５５（ジョグダイヤル５４）を振動させ続ける。
【００３３】
次に、図４のフローチャートを参照して、ジョグダイヤル５４の振動制御の流れについて説明する。まず、ＤＪプレーヤー・ミキサー１０（制御部１１）は、ジョグダイヤル５４がタッチまたは回転されると（Ｓ０１）、現在再生中の音声データが解析済か否か（現在再生中の音声データに対応する解析データ１２ａが存在するか否か）を判定する（Ｓ０２）。
【００３４】
現在再生中の音声データが解析済の場合（Ｓ０２；Ｙｅｓ）、ＤＪプレーヤー・ミキサー１０は、現在の再生位置に音声があるか否かを判定する（Ｓ０３）。すなわち、解析データ１２ａを参照し、現在の再生位置に対応する振幅値が「０」か否かを判定する。現在の再生位置に音声がある場合（Ｓ０３；Ｙｅｓ）、ＤＪプレーヤー・ミキサー１０は、現在の再生位置に対応する振幅値に応じた（比例した）振動強度でジョグダイヤル５４（振動部５５）を振動させる（Ｓ０４）。
【００３５】
一方、現在再生中の音声データが解析されていない場合（Ｓ０２；Ｎｏ）、または音声データは解析済だが、現在の再生位置に音声が無い場合（つまり、現在の再生位置の振幅値が「０」の場合，Ｓ０３；Ｎｏ）、ＤＪプレーヤー・ミキサー１０はジョグダイヤル５４を振動させない（Ｓ０５）。
【００３６】
ＤＪプレーヤー・ミキサー１０は、ユーザーがジョグダイヤル５４から手を離すまでの間、Ｓ０１以降の処理を継続し（Ｓ０６；Ｎｏ）、ユーザーがジョグダイヤル５４から手を離した時、一連の処理を終える（Ｓ０６；Ｙｅｓ）。
【００３７】
以上説明したように、第１実施形態によれば、ジョグダイヤル５４を操作した時（ジョグダイヤル５４にタッチ、あるいはジョグダイヤル５４を回転した時）の音声データの再生位置における振幅値に応じて、ジョグダイヤル５４を振動させることができる。すなわち、音声データの再生位置の振幅値の大きさ、言い換えれば再生位置の音の強弱により、振動強度を変えてジョグダイヤル５４を振動させることができる。これにより、ユーザーは、現在再生されている再生位置における音声データの特徴（音の強弱）を触覚（手に伝わる振動）で把握することが可能となる。したがって、ユーザーは、ジョグダイヤル５４の振動の強弱により楽曲における所望のポイント（音声レベルの大きいポイント、または音声レベルの小さいポイント）を認識することができ、例えばスクラッチ操作における頭出しの開始ポイントや、キューポイントを設定したい位置等を容易に見つけ出すことができ、スクラッチ操作やキューポイントの設定を迅速かつ正確に行うことができる。
【００３８】
また、触覚で楽曲における所望のポイント（例えば、頭出しの開始ポイント等）を認識できるため、ＤＪ機器を使用するクラブなどにおいて、ＤＪは視点を他の行為に向けることができるようになり、演奏の幅を広げることができる。また、ＤＪ機器を使用するクラブなどでは、ホール内（フロア）の照明を暗くする場合が多いが、このような暗がり（すなわち視覚的に問題がある環境下）であっても、容易に楽曲中の所望のポイントを見つけ出すことができるため、使い勝手が良い。
【００３９】
［第２実施形態］
次に、図５ないし図７を参照し、本発明の第２実施形態について説明する。第２実施形態では、再生位置における音声データの振幅値が所定のレベル以上（所定の振幅値以上）の場合にのみ、ジョグダイヤル５４を振動させる点が第１実施形態とは異なる。以下、第１実施形態と異なる点を説明する。なお、本実施形態において、第１実施形態と同様の構成部分については同様の符号を付し、詳細な説明を省略する。また、第１実施形態と同様の構成部分について適用される変形例は、本実施形態についても同様に適用される。
【００４０】
図５は、第２実施形態のＤＪプレーヤー・ミキサー１０の機能構成について説明する図である。同図に示すように、ＤＪプレーヤー・ミキサー１０は、主な機能構成として、音声データ解析手段７１、ジョグ操作制御手段７２、振動制御手段７３に加え、閾値設定手段７４を備えている。
【００４１】
閾値設定手段７４は、ジョグダイヤル５４を振動させるための音声データの振幅値の閾値を設定する。この閾値設定は、ユーザーによる操作子の操作により適宜変更することが可能となっている。例えば、図６に示すように、プレーヤー部１３ａに閾値設定用の操作子としてフェーダー（以下、「閾値設定用フェーダー５６」と称す）を配置し、ユーザーが閾値設定用フェーダー５６を上側にスライドすることで閾値を大きな値に設定し、下側にスライドすることで閾値を小さな値に設定する。
【００４２】
なお、図６では一方のプレーヤー部１３ａに閾値設定用フェーダー５６を設ける構成としたが、両方のプレーヤー部１３ａのそれぞれに閾値設定用フェーダー５６を設けても良い。また、閾値を設定する操作子としてフェーダーを例示したが、これに限るものではなく、ボタン型の操作子や、回転式つまみ（ノブ）などであっても良い。特に、設定位置が分かりやすいフェーダーや回転式つまみ等の操作子とすることが好ましい。
【００４３】
振動制御手段７３は、ジョグ操作制御手段７２により取得した音声データの再生位置（再生位置の時間情報）に対応する振幅値を解析データ１２ａから取得し、取得した振幅値が、閾値設定手段７４により設定された閾値以上の場合に、その振幅値の大きさに基づいて振動部５５を振動させる。
【００４４】
次に、図７のフローチャートを参照して、第２実施形態のジョグダイヤル５４の振動制御の流れについて説明する。なお、図７のＳ１１〜Ｓ１３、およびＳ１５〜Ｓ１７の処理は、図４のＳ０１〜Ｓ０３、およびＳ０４〜Ｓ０６の処理と同様であるため、詳細な説明を省略する。
【００４５】
図７に示すように、ＤＪプレーヤー・ミキサー１０（制御部１１）は、現在再生中の音声データが解析済の場合（Ｓ１２；Ｙｅｓ）、現在の再生位置に音声があるか否か（現在の再生位置に対応する振幅値が「０」か否か）を判定する（Ｓ１３）。現在の再生位置に音声がある場合、すなわち再生位置の振幅値が「０」でない場合（Ｓ１３；Ｙｅｓ）、ＤＪプレーヤー・ミキサー１０は、現在の再生位置の振幅値が、閾値設定用フェーダー５６（閾値設定手段７４）により設定された閾値以上か否かを判定する（Ｓ１４）。判定の結果、現在の再生位置の振幅値が閾値以上の場合（Ｓ１４；Ｙｅｓ）、ＤＪプレーヤー・ミキサー１０は、現在の再生位置に対応する振幅値に応じた（比例した）振動強度でジョグダイヤル５４（振動部５５）を振動させる（Ｓ１５）。
【００４６】
以上説明したように、第２実施形態によれば、ジョグダイヤル５４を振動させるための音声データの振幅値の閾値を設定することができる。これにより、例えば、全体的に音声データの振幅値が大きく変動しない場合（振幅値がフラットに近い場合）であっても（言い換えれば、全体的に音の強弱が少ない楽曲であっても）、ユーザーはジョグダイヤル５４の振動により楽曲における所望のポイントを容易に認識することができる。また、閾値を設定することで、音声データに含まれるノイズによってジョグダイヤル５４が振動（誤振動）することを抑制できる。なお、本実施形態ではユーザーが閾値を設定するものとしているが、これに限るものではなく、適切な閾値（所定の閾値）を予め定めておくようにしても良い。
【００４７】
［第３実施形態］
次に、図８ないし図１０を参照し、本発明の第３実施形態について説明する。第３実施形態では、音声データの所望の区間のみ、ジョグダイヤル５４を振動させる点が第１実施形態とは異なる。以下、第１実施形態と異なる点を説明する。なお、本実施形態において、第１実施形態と同様の構成部分については同様の符号を付し、詳細な説明を省略する。また、第１実施形態と同様の構成部分について適用される変形例は、本実施形態についても同様に適用される。
【００４８】
図８は、第３実施形態のＤＪプレーヤー・ミキサー１０の機能構成について説明する図である。同図に示すように、ＤＪプレーヤー・ミキサー１０は、主な機能構成として、音声データ解析手段７１、ジョグ操作制御手段７２、振動制御手段７３に加え、振動区間設定手段７５を備えている。
【００４９】
振動区間設定手段７５は、音声データにおいて（音声データの時間軸上において）、ジョグダイヤル５４を振動させる区間を設定する。この振動区間は、ユーザーによる操作子の操作により設定することが可能となっている。例えば、図９に示すように、プレーヤー部１３ａに振動区間設定用の操作子として振動区間設定ボタン群５７を配置する。振動区間設定ボタン群５７は、３つのボタン（スタートボタン５７ａ、エンドボタン５７ｂおよびキャンセルボタン５７ｃ）から成り、ユーザーがスタートボタン５７ａを押下した時の音声データの時間軸上の位置を振動区間の開始位置として設定し、エンドボタン５７ｂを押下した時の音声データの時間軸上の位置を振動区間の終了位置として設定する。また、キャンセルボタン５７ｃを押下することで、設定した振動区間を取り消すことができる。
【００５０】
なお、図９では一方のプレーヤー部１３ａに振動区間設定ボタン群５７を設ける構成としたが、両方のプレーヤー部１３ａのそれぞれに振動区間設定ボタン群５７を設けても良い。また、図９では、振動区間を設定する操作子として３つのボタンを例示したが、これに限るものではない。また、振動区間は１つ（１区間）のみ設定できるようにしても良いし、複数の区間を設定できるようにしても良い。
【００５１】
振動制御手段７３は、ジョグ操作制御手段７２により取得した音声データの再生位置が、振動区間設定手段７５により設定された振動区間内にある場合に、当該再生位置（再生位置の時間情報）に対応する振幅値の大きさに基づいて振動部５５を振動させる。
【００５２】
次に、図１０のフローチャートを参照して、第３実施形態のジョグダイヤル５４の振動制御の流れについて説明する。なお、図１０のＳ２１〜Ｓ２３、およびＳ２５〜Ｓ２７の処理は、図４のＳ０１〜Ｓ０３、およびＳ０４〜Ｓ０６の処理と同様であるため、詳細な説明を省略する。
【００５３】
図１０に示すように、ＤＪプレーヤー・ミキサー１０（制御部１１）は、現在再生中の音声データが解析済の場合（Ｓ２２；Ｙｅｓ）、現在の再生位置に音声があるか否か（現在の再生位置に対応する振幅値が「０」か否か）を判定する（Ｓ２３）。現在の再生位置に音声がある場合、すなわち再生位置の振幅値が「０」でない場合（Ｓ２３；Ｙｅｓ）、ＤＪプレーヤー・ミキサー１０は、現在の再生位置が、振動区間設定ボタン群５７（振動区間設定手段７５）により設定された振動区間内にあるか否かを判定する（Ｓ２４）。判定の結果、現在の再生位置が振動区間内にある場合（Ｓ２４；Ｙｅｓ）、ＤＪプレーヤー・ミキサー１０は、現在の再生位置に対応する振幅値に応じた（比例した）振動強度でジョグダイヤル５４（振動部５５）を振動させる（Ｓ２５）。
【００５４】
以上説明したように、第３実施形態によれば、ユーザーが予め設定した区間（音声データの振動区間）のみ、ジョグダイヤル５４を振動させることができる。これにより、例えばスクラッチ操作における頭出しの開始ポイントや、キューポイントの位置を振動区間として設定しておくことで、ユーザーは当該ポイントを確実に、且つ容易に認識することができる。
【００５５】
［変形例１］
なお、上記の実施形態１ないし３の変形例として、音声データの振幅値の時間軸上の差分（音声データの任意の時間位置と、前記任意の時間位置から所定時間経過後の時間位置の振幅値の差分）をとり、その差分値（差分の振幅値）に応じた振動強度でジョグダイヤル５４を振動させるようにしても良い。また、音声データの時間軸上の振幅値が急峻に増加した場合にジョグダイヤル５４を振動させるようにしても良い。
【００５６】
［変形例２］
また、図１１に示すように、システム構成を変更しても良い。同図は、変形例に係るＤＪシステムＳＹ２のシステム構成図である。本例では、ＤＪシステムＳＹ１のＤＪプレーヤー・ミキサー１０に代えて、パーソナルコンピューター（以下、「ＰＣ１１０」と表記する）と、ＤＪコントローラー１００とを備えた構成となっている。なお、請求項における「電子機器」は、ＤＪコントローラー１００およびＰＣ１１０に相当する。
【００５７】
ＤＪコントローラー１００は、プレーヤーとミキサーの一体型コントローラーであり、上記実施形態に示したＤＪプレーヤー・ミキサー１０の操作部１３およびＩ／Ｆ部１４の機能を有している。操作部１３は、ＭＩＤＩやＨＩＤ等の通信によって、ＰＣ１１０（ＤＪアプリケーション１１１）に操作信号を送信する。また、Ｉ／Ｆ部１４は、外部入力装置４０から入力された音声データ（音声信号）をＰＣ１１０に出力し、さらにＰＣ１１０から入力された音声データをアンプ２０に出力する。
【００５８】
一方、ＰＣ１１０は、表示画面、入力装置（マウス、キーボード等）、ハードディスク、制御機構（ＣＰＵ、ＲＯＭおよびＲＡＭ等）等のハードウェアを備えている（いずれも図示省略）。また、ハードディスクには、ＯＳ（Operating  System）と、当該ＯＳ上で動作するＤＪアプリケーション１１１とを記憶している。ここで、ＤＪアプリケーション１１１とは、ＤＪがＤＪパフォーマンスを行うために開発されたソフトウェアであり、ＤＪコントローラー１００から入力された音声データを加工・編集する。また、ＤＪアプリケーション１１１は、ＤＪコントローラー１００と組み合わせて用いることで、ＤＪプレーヤー・ミキサー１０の機能を実現できるようになっている。つまり、ＤＪコントローラー１００は、ユーザーが各種操作を行うためのインターフェースとして用いられ、音声制御処理（音声データのミックスや音量調整等）やジョグダイヤル５４の振動制御処理等は、主にＤＪアプリケーション１１１（ＰＣ１１０）にて行われる。すなわち、本例では、ＤＪアプリケーション１１１（ＰＣ１１０）が、音声データ解析手段７１、ジョグ操作制御手段７２および振動制御手段７３の機能を有する構成となる。
【００５９】
［変形例３］
また、上記の実施形態１ないし３および変形例では、ジョグダイヤル５４が振動部５５を備えた構成について説明したが、振動部５５をジョグダイヤル５４とは別体の外部装置（振動装置，図示省略）が備える構成としても良い。この場合、ＤＪプレーヤー・ミキサー１０またはＰＣ１１０（ＤＪアプリケーション１１１）と、外部装置とがネットワーク（有線接続／無線接続は問わない）を介して接続されたシステム（電子システム）において、ＤＪプレーヤー・ミキサー１０（またはＰＣ１１０）の振動制御手段７３が、音声データの再生位置に対応する振幅値に応じた振動命令を外部装置に送信し（振動命令送信部）、外部装置は振動制御手段７３から振動命令を受信し（振動命令受信部）、受信した振動命令に基づく振動強度で、自身（振動部５５）を振動させるようにすれば良い。なお、外部装置は、ユーザーの身体（例えば手首や足首）に装着可能に構成されることが好ましい。
【００６０】
また、上記に示したＤＪプレーヤー・ミキサー１０、ＤＪコントローラー１００およびＰＣ１１０（ＤＪアプリケーション１１１）の機能をプログラムとして提供することも可能である。また、そのプログラムを各種記録媒体（ＣＤ−ＲＯＭ、フラッシュメモリ等）に格納して提供することも可能である。すなわち、コンピューターをＤＪプレーヤー・ミキサー１０、ＤＪコントローラー１００およびＰＣ１１０（ＤＪアプリケーション１１１）の各要素として機能させるためのプログラム、およびそれを記録した記録媒体も、本発明の権利範囲に含まれるものである。
【００６１】
また、上述した実施例および変形例によらず、ＤＪシステムＳＹ１、ＳＹ２の装置構成や処理工程、機能等について、本発明の要旨を逸脱しない範囲で、適宜変更も可能である。
【符号の説明】
【００６２】
１０…ＤＪプレーヤー・ミキサー  １２…記憶部  １２ａ…解析データ  １３…操作部  ５４…ジョグダイヤル  ５５…振動部  ５６…閾値設定用フェーダー  ５７…振動区間設定ボタン群  ７１…音声データ解析手段  ７２…ジョグ操作制御手段  ７３…振動制御手段  ７４…閾値設定手段  ７５…振動区間設定手段  １００…ＤＪコントローラー  １１０…ＰＣ  １１１…ＤＪアプリケーション  ＳＹ１…ＤＪシステム  ＳＹ２…ＤＪシステム
【図１】
2014203493.tif 000003
【図２】
2014203493.tif 000004
【図３】
2014203493.tif 000005
【図４】
2014203493.tif 000006
【図５】
2014203493.tif 000007
【図６】
2014203493.tif 000008
【図７】
2014203493.tif 000009
【図８】
2014203493.tif 000010
【図９】
2014203493.tif 000011
【図１０】
2014203493.tif 000012
【図１１】
2014203493.tif 000013